(57)【特許請求の範囲】
【請求項１】
長尺の基材がその長手方向に搬送される配路と、配路に沿って直列に設けられた、配路上の基材に各種の処理を施す二以上の基材処理部と、二つの基材処理部間の配路に設けられた、上下昇降自在な中間段差ロールと、中間段差ロールの所定位置からの上下の変位に基づいて出力信号を出力する変位検出器と、中間段差ロールの上流側における基材の搬送速度を制御する上流側制御部と、中間段差ロールの下流側における基材の搬送速度を制御する下流側制御部と、上流側制御部及び下流側制御部に制御信号を送ることにより上流側制御部及び下流側制御部における速度制御を設定する主速度設定部と、変位検出器から出力された出力信号に基づいて主速度設定部からの制御信号を補正して下流側制御部に送る従速度設定部とを具備して成ることを特徴とする回路板製造用基材処理装置。
【請求項２】
配路における基材の搬送に応じてロール状に巻回された基材を搬送方向とは反対向きの一定の制動力をかけながら配路に繰り出す基材繰出部を具備して成ることを特徴とする請求項１に記載の回路板製造用基材処理装置。
【請求項３】
配路における基材１の搬送に応じて配路上の基材を搬送方向へ一定の張力をかけながらロール状に巻取る基材巻取部を具備して成ることを特徴とする請求項１又は２に記載の回路板製造用基材処理装置。
【発明の詳細な説明】
【０００１】
【発明の属する技術分野】
本発明は、金属箔張積層板等の基材に、回路板の製造のための種々の処理を行うための回路板製造用基材処理装置に関するものである。
【０００２】
【従来の技術】
プリント配線板の内層材等に用いられる回路板は、例えば両面金属箔張積層板等の基材にサブトラクティブ法等を施して製造されるものである。このとき例えば基材上に感光性樹脂を設け、露光処理、現像処理を経て基板上にレジスト層を形成し、エッチング処理を経て基板上に回路を形成し、剥離処理を経て基板上のレジスト層を除去するものである。
【０００３】
このように複数の工程を経て回路板を製造するにあたり、従来は製品サイズに形成された短尺の基材一枚ずつに対して各種処理を行っていたものである。
【０００４】
【発明が解決しようとする課題】
しかし、上記のように基材一枚ずつに処理を行う場合は、処理工程における基材の搬送及び各種処理工程における基材の位置合わせの工程が煩雑となって処理効率が悪いものであり、また処理後の基材を次工程に移載するには処理後の基材を積み上げて移動しなければならず、この移載工程も面倒なものであった。
【０００５】
一方、近年、基材の製造にあたっては、長尺の金属箔と樹脂シートとを連続的に積層一体化することにより長尺の基材を製造する連続工法が採用されるようになってきている。
【０００６】
そこで、この長尺の基材を切断せずに、搬送しながら各種処理を行うことが考えられる。この場合、長尺の基材を搬送しながら順次各種処理を行うことにより、基材を連続的に効率よく処理することができ、しかも処理後の長尺の基材をロール状に巻回すことにより容易に移載することができるものである。
【０００７】
しかし、このような連続的な処理工程において、複数の処理を順次行う場合は、基材の配路が長くなり、配路における基材の滑りや基材の搬送速度の誤差が累積して、基材が弛んだり基材に過剰な張力がかかることとなり、基材を円滑に搬送することが困難となるものであった。またこのとき配路上の基材が搬送方向とは直交する方向にずれた場合は、配路の下流側において巻き取られたロール状の基材の側端が不揃いとなって、基材の側方に突出した部分が移載工程において何らかの障害物にぶつかった場合に破損するおそれがあった。
【０００８】
本発明は上記の点に鑑みてなされたものであり、長尺な基材を円滑に搬送しながら基材に複数の処理を順次施すことができ、しかも搬送中における基材の配置位置の精度を向上することができる、回路板製造用基材処理装置を提供することを目的とするものである。
【０００９】
【課題を解決するための手段】
本発明の請求項１に係る回路板製造用基材処理装置は、長尺の基材１がその長手方向に搬送される配路と、配路に沿って直列に設けられた、配路上の基材１に各種の処理を施す二以上の基材処理部２と、二つの基材処理部２間の配路に設けられた、上下昇降自在な中間段差ロール３と、中間段差ロール３の所定位置からの上下の変位に基づいて出力信号を出力する変位検出器４と、中間段差ロール３の上流側における基材１の搬送速度を制御する上流側制御部５と、中間段差ロール３の下流側における基材の搬送速度を制御する下流側制御部６と、上流側制御部５及び下流側制御部６に制御信号を送ることにより上流側制御部５及び下流側制御部６における速度制御を設定する主速度設定部７と、変位検出器４から出力された出力信号に基づいて主速度設定部７からの制御信号を補正して下流側制御部６に送る従速度設定部８とを具備して成ることを特徴とするものである。
【００１０】
また請求項２の発明は、請求項１の構成に加えて、配路における基材１の搬送に応じてロール状に巻回された基材１を搬送方向とは反対向きの一定の制動力をかけながら配路に繰り出す基材繰出部９を具備して成ることを特徴とするものである。
【００１１】
また請求項３の発明は、請求項１又は２の構成に加えて、配路における基材１の搬送に応じて配路上の基材１を搬送方向へ一定の張力をかけながらロール状に巻取る基材巻取部１０を具備して成ることを特徴とするものである。
【００１２】
【発明の実施の形態】
以下、本発明の実施の形態を説明する。
【００１３】
基材１としては、従来からプリント配線板の製造に利用されている積層板等を用いることができる。具体的には、紙やガラス織布、ガラス不織布等のシート状の繊維材にエポキシ樹脂等を含む樹脂組成物を含浸させて樹脂を半硬化状態にすることによってプリプレグを形成し、一枚あるいは複数枚のプリプレグの両面に銅箔等の金属箔を重ね、これを加熱し加圧又は無圧下で積層一体化することによって、プリプレグが絶縁層となった金属箔張積層板を用いることができる。ここで基材１は長尺のシート状に形成されるものであり、製造装置に設けられる処理装置の種類に応じて、種々の処理が施されたものを用いることができる。
【００１４】
図１に本発明の実施の形態の一例を示す。
【００１５】
基材１としては、金属箔張積層板に紫外線硬化性樹脂等からなるドライフィル等の感光性材料が設けられ、更にこの感光性材料にエッチングレジスト形成用の露光処理が施されたものが用いられる。
【００１６】
回路板製造用基材処理装置には、基材１の配路が設定されており、基材１の配路の上流側から順に、基材繰出部９、繰出側アキュームレータ１５、現像部２ａ、エッチング部２ｂ、中間アキュームレータ３０、剥離部２ｃ、乾燥部２ｄ、巻取側アキュームレータ３８、基材巻取部１０が配設されている。ここで現像部２ａ、エッチング部２ｂ、剥離部２ｃ及び乾燥部２ｄは、基材１に処理を施す処理部２として配設されている。
【００１７】
基材繰出部９は、基材１が巻回された基材繰出リール１１が軸回転可能に取り付けられるものであり、基材繰出リール１１の一対の支軸１２を平行に配設して構成される。この支軸１２は、内部にエアーが注入されることにより外周面に設けられたラグ等が外方に突出して基材繰出リール１１の軸芯の内周面に弾接するように形成されたエアーシャフトにて構成することができ、基材繰出リール１１をその回転軸がぶれないように安定して保持するものである。この一対の支軸１２のうちの一方に取り付けられた基材繰出リール１１から基材１を配路に繰出し、この基材繰出リール１１に巻回された基材１がすべて配路に繰出されたら、他方の基材繰出リール１１に巻回された基材１を配路に繰出すようにして、基材１を途切れなく配路に繰出すことができる。また基材繰出部９には、基材１を配路に繰出していない基材繰出リール１１に巻回された基材１の先端部が載置される仮置台１３が配置されている。
【００１８】
また支軸１２への回転駆動力の伝達と支軸１２の回転阻止とを行うことができるモータ等の駆動源が設けられている。この駆動源としてはＡＣサーボモータを用いることができ、この場合はこのＡＣサーボモータのサーボロック力により支軸１２の回転を阻止することができる。
【００１９】
またこの駆動源には、駆動源にて支軸１２が回転駆動しているときに支軸１２に一定の範囲で任意の制動力を与えながら回転させる、パウダーブレーキ等の制動手段が接続されている。パウダーブレーキを用いる場合は、所望の制動力に比例した電圧をパウダーブレーキに出力することにより、所望の制動力を支軸１２に伝達することができるものである。そして、例えば図３に概念的に示すように、駆動源４６ａに接続されたコントロールアンプ４５ａに所望の制動力を入力すると、コントロールアンプ４５ａにてこの入力した制動力に比例した出力電圧が発生し、この出力電圧が駆動源４６ａのパウダーブレーキに出力されて、所望の制動力が支軸１２に伝達されるようにするものである。
【００２０】
接着台１４は、配路上の基材１の下方に基材１と近接させて配置されており、その上面が配路上の基材１に沿った略水平面に形成されている。
【００２１】
また繰出側アキュームレータ１５は、基材１の配路に沿って平行並列に配設された３本の固定ロール１６と、この固定ロール１６間の各隙間の下方に配設され、上下に昇降可能な二本の段差ロール１７とから構成されている。各段差ロール１７は、図５に示すように、段差ロール１７の両端を軸支する一対の軸支部１８にて接続されており、この軸支部１８間には昇降プレート１９が架設されている。この昇降プレート１９は上下方向の昇降ロッド２１に沿って摺動自在に配設されており、これにより、二本の段差ロール１７が連動して昇降自在に配設されている。またこの昇降プレート１９には、任意の重量の錘２０が着脱自在に取付けられる。
【００２２】
基材１の配路はこの固定ロール１６及び段差ロール１７に沿ってＷ字状に設定される。すなわち、露光部４から送られてくる基材１は、基材１の配路の上流側に配設された固定ロール１６の上方、一方の段差ロール１７の下方、中間の固定ロール１６の上方、他方の段差ロール１７の下方、配路の上流側に配設された固定ロール１６の上方の順に掛架されるものである。ここで段差ロール１７は、その自重による荷重を基材１にかけることによって、この段差ロール１７の上流側及び下流側の基材１に一定の張力をかけるものである。この基材１の張力は、段差ロール１７に錘２０をつけることによって調節できる。
【００２３】
現像部２ａには、複数本の現像液噴射ノズル２２と、複数本の洗浄水噴射ノズル２３と、エアーナイフ２４とが、配路に沿って配路上の基材１の搬送方向に向けて順に配設されている。現像液噴射ノズル２２は、配路を介して上下に対向して設けられている。この現像液噴射ノズル２２は感光性材料の未硬化部分を除去する現像液２５を噴射するものであって、現像液２５としては、例えば、炭酸ナトリウム水溶液を用いることができる。また複数本の洗浄水噴射ノズル２３は、配路を介して上下に対向して設けられている。この洗浄水噴射ノズル２３は、現像後の基材１を洗浄するための洗浄水２６を噴射するものである。またエアーナイフ２４は配路を介して上下に対向して設けられている。このエアーナイフ２４は、洗浄後の基材１表面にエアーを噴出して基材１を乾燥させるものである。
【００２４】
エッチング部２ｂには、複数本のエッチング液噴射ノズル２７と、複数本の洗浄水噴射ノズル２３と、エアーナイフ２４とが、配路に沿って配路上の基材１の搬送方向に向けて順に配設されている。複数本のエッチング液噴射ノズル２７は、配路を介して上下に対向して設けられている。このエッチング液噴射ノズル２７は感光性材料で覆われていない部分の金属箔を除去するエッチング液２８を噴射するものであって、エッチング液２８としては、例えば、塩酸及び銅イオンを含む水溶液を用いることができる。また複数本の洗浄水噴射ノズル２３は、配路を介して上下に対向して設けられている。この洗浄水噴射ノズル２３は、エッチング後の基材１を洗浄するための洗浄水２６を噴射するものである。またエアーナイフ２４は配路を介して上下に対向して設けられている。このエアーナイフ２４は、洗浄後の基材１表面にエアーを噴出して基材１を乾燥させるものである。
【００２５】
また現像部２ａ及びエッチング部２ｂには、回転駆動することにより配路上の基材１を搬送する複数本の搬送ロール２９が、配路の上下に配設されており、この各搬送ロール２９は、サーボモータ等からなる速度制御型モータ４３ａに接続され、この速度制御型モータ４３ａの駆動力が伝達されて連動して回転駆動するものである。またこの速度制御型モータ４３ａには、この速度制御型モータ４３ａに駆動電圧を供給することにより、速度制御型モータ４３ａを駆動すると共に中間段差ロール３よりも上流側における基材１の搬送速度を制御する上流側制御部５に接続されている。
【００２６】
中間アキュームレータ３０は、基材１の配路に沿って平行並列に配設された２本の固定ロール１６と、この固定ロール１６間の隙間の下方に配設され、上下に昇降可能な中間段差ロール３とから構成されている。中間段差ロール３は図６に示すように、中間段差ロール３の両端を軸支する軸支部１８を、上下方向の昇降レール４８に摺動自在に取付けることにより配設されており、またこの軸支部１８には、任意の重量の錘２０が着脱自在に取付けられる。
【００２７】
基材１の配路はこの固定ロール１６及び中間段差ロール３に沿ってＶ字状に設定される。すなわち、露光部４から送られてくる基材１は、基材１の配路の上流側に配設された固定ロール１６の上方、中間段差ロール３の下方、基材１の配路の下流側に配設された固定ロール１６の上方の順に掛架されるものである。ここで中間段差ロール３は、その自重による荷重を基材１にかけることによって、この中間段差ロール３の上流側及び下流側の基材１に一定の張力をかけるものである。この基材１の張力は、中間段差ロール３に錘２０をつけることによって調節できる。
【００２８】
またこの中間アキュームレータ３０には、中間段差ロール３の所定位置からの上下方向の変位に基づいた出力信号を出力する変位検出器４が設けられている。この変位検出器４としては、中間段差ロール３の上下昇降運動を軸回転運動に変換して、中間段差ロール３の上下の変位を回転運動の角度変位として検出し、この角度変位に基づいた出力信号を出力するものを用いることができる。
【００２９】
具体的には、例えば図６に示すように、中間段差ロール３の軸支部１８には鎖３１の一端が取付けられている。この鎖３１は軸支部１８から上方に引き出されており、鎖３１の他端側は巻取リール３２に接続されている。この巻取リール３２には鎖３１を巻取る方向のトルク力が付勢されており、中間段差ロール３の上下昇降に従って、弛みが発生しないように鎖３１を巻取り、あるいは繰出しながら、軸回転するものである。この巻取リール３２には、巻取リール３２の軸回転に応じて回転する歯車３３が取付けられている。この歯車３３は、他の歯車３４と噛合しながら回転するように設けられており、この他の歯車３４は、変位検出器４の入力軸３５に接続されている。変位検出器４には、入力軸３５の所定状態からの変位角に応じて、この変位角に略比例する出力電圧を発生させるシンクロ発振器が内蔵されており、変位検出器４はこの出力電圧を出力信号として出力するものである。この入力軸３５の変位角と出力電圧との関係の例を、図８に示す。ここで、中間段差ロール３の所定位置から下降する方向の変位を正方向の変位、中間段差ロール３の所定位置から上昇する方向の変位を負方向の変位、中間段差ロール３が正方向に変位した際の入力軸３５の変位を正方向の変位、中間段差ロール３が負方向に変位した際の入力軸３５の変位を負方向の変位と定義すると、変位検出器４は、中間段差ロール３が所定の位置から正方向に変位して入力軸３５が正方向に変位したら、この変位量に略比例する正電圧を出力信号として出力し、中間段差ロール３が所定の位置から負方向に変位して入力軸３５が負方向に変位したら、この変位量に略比例する負電圧を出力電圧として出力するように調整するものである。
【００３０】
また剥離部２ｃには複数本の剥離液噴射ノズル３６と複数本の洗浄水噴射ノズル２３とエアーナイフ２４とが、配路に沿って配路上の基材１の搬送方向に向けて順に配設されている。複数本の剥離液噴射ノズル３６は、配路を介して上下に対向して設けられている。この剥離液噴射ノズル３６はエッチング後に金属箔張り積層板１の表面に残る感光性材料を除去する剥離液３７を噴射するものであって、剥離液３７としては、例えば、水酸化ナトリウム水溶液を用いることができる。また複数本の洗浄水噴射ノズル２３は、配路を介して上下に対向して設けられている。この洗浄水噴射ノズル２３は、感光性材料を除去した後の基材１を洗浄するための洗浄水２６を噴射するものである。またエアーナイフ２４は配路を介して上下に対向して設けられている。このエアーナイフ２４は、洗浄後の基材１表面にエアーを噴出して基材１を乾燥させるものである。
【００３１】
また乾燥部２ｄにはエアーナイフ２４が配設されており、洗浄・乾燥後の基材１表面に更にエアーを噴出して基材１を完全に乾燥させるものである。
【００３２】
また剥離部２ｃ及び乾燥部２ｄには、回転駆動することにより配路上の基材１を搬送する複数本の搬送ロール２９が、配路の上下に配設されており、この各搬送ロール２９は、サーボモータ等からなる速度制御型モータ４３ｂに接続され、この速度制御型モータ４３ｂから駆動力が伝達されて連動して回転駆動するものである。またこの速度制御型モータ４３ｂには、この速度制御型モータ４３ｂに駆動電圧を供給することにより、速度制御型モータ４３ｂを駆動すると共に中間段差ロール３よりも上流側における基材１の搬送速度を制御する下流側制御部６に接続されている。
【００３３】
また巻取側アキュームレータ３８は、基材１の配路に沿って平行並列に配設された２本の固定ロール１６と、この固定ロール１６間の隙間の下方に配設され、上下に昇降可能な段差ロール１７とから構成されている。段差ロール１７は図７に示すように、段差ロール１７の両端を軸支する軸支部１８を、上下方向の昇降レール４８に摺動自在に取付けることにより配設されており、またこの軸支部１８には、任意の重量の錘２０が着脱自在に取付けられる。
【００３４】
基材１の配路はこの固定ロール１６及び段差ロール１７に沿ってＶ字状に設定される。すなわち、露光部４から送られてくる基材１は、基材１の配路の上流側に配設された固定ロール１６の上方、段差ロール１７の下方、基材１の配路の下流側に配設された固定ロール１６の上方の順に掛架されるものである。ここで段差ロール１７は、その自重による荷重を基材１にかけることによって、この段差ロール１７の上流側及び下流側の基材１に一定の張力をかけるものである。この基材１の張力は、段差ロール１７に錘２０をつけることによって調節できる。
【００３５】
分離台３９は、配路上の基材１の下方に基材１と近接させて配置されており、その上面が配路上の基材１に沿った略水平面に形成されている。
【００３６】
基材巻取部１０は、基材１が巻回される基材巻取リール４０が軸回転可能に取り付けられるものであり、基材巻取リール４０の一対の支軸１２を配設して構成される。この各支軸１２は、内部にエアーが注入されることにより外周面に設けられたラグ等が外方に突出して基材巻取リール４０の軸芯の内周面に弾接するように形成されたエアーシャフトにて構成することができ、基材巻取リール４０をその回転軸がぶれないように安定して保持するものである。この一対の支軸１２のうちの一方に取り付けられた基材巻取リール４０にて基材１を配路から巻取り、次いで他方の基材巻取リール４０にて配路から基材１を巻取るようにして、基材１を途切れなく配路から巻取ることができる。
【００３７】
また基材巻取部１０には、支軸１２に軸回転運動を伝達すると共にこの支軸１２の軸回転運動に一定範囲で任意のトルクを与える駆動源を設けるものであり、この駆動源として、パウダークラッチ等の無段階クラッチを備えたモータ等を設けることができる。ここで支軸１２にかける回転運動のトルクは、基材巻取リール４０に巻回されている基材１の巻径に応じて制御されるものであり、支軸１２が回転して巻径が大きくなるに従って無段階クラッチを制御してこのトルクを大きくすることにより、基材１を巻き取る際にかかる基材１への張力を一定に保つようにするものである。パウダークラッチを用いる場合は、所望のトルクに比例した電圧をパウダークラッチに出力することにより、所望のトルクを支軸１２に伝達することができるものである。そして、例えば図４に概念的に示すように、支軸１２に支軸１２の回転に従って回転する突出針４３を設けると共に、突出針４３の回転時の軌跡付近に近接スイッチ４４を配設し、支軸１２が一回転するごとに近接スイッチ４４にて突出針４３が検出されるようにする。この検知結果は巻径検知装置４７に出力し、この巻径検知装置４７にて、近接スイッチ４４による検知回数から巻径を導出する。ここで巻径は、支軸１２の回転数に基材１の板厚を乗じた値ずつ増大するものである。そして巻径検知装置４７から巻径を、巻径検知装置４７に接続されたコントロールアンプ４５ｂに出力すると、コントロールアンプ４５ｂにてこの巻径に比例した出力電圧が発生し、この出力電圧が駆動源４６ｂのパウダークラッチに出力されて、所望のトルクが支軸１２に伝達されるようにするものである。
【００３８】
また、図１及び図２に示すように、上流側制御部５及び下流側制御部６には、上流側制御部５及び下流側制御部６に制御信号を送ることにより上流側制御部５及び下流側制御部６を制御して基材１の搬送速度を設定する主速度設定部７が接続されている。ここで上流側制御部５は主速度設定部７に直接接続され、下流側制御部６は主速度設定部７に、従速度設定部８を介して接続されている。この従速度設定部８は、主速度設定部７からの制御信号と共に変位検出器４からの出力信号が入力されるものであり、主速度設定部７からの制御信号を出力信号に基づいて補正した後、下流側制御部６に出力するものである。この従速度設定部８は、中間段差ロール３が所定の位置から上方に変位した場合は、下流側制御部６により制御される基材１の搬送速度が主速度設定部７により設定された速度よりも、遅くなるように制御信号を補正し、中間段差ロール３が所定位置よりも下降した場合は、下流側制御部６により制御される基材１の搬送速度が主速度設定部７により設定された速度よりも速くなるように制御信号を補正するものである。
【００３９】
例えば主速度設定部７として、設定された基材１の搬送速度に比例する制御電圧（例えば±１０Ｖの範囲）を制御信号として出力し、上流側制御部５及び下流側制御部６として、入力された制御信号の電圧に比例する駆動電圧を速度制御型モータ４３ａ、４３ｂに出力するものを用い、変位検出器４として既述のような変位角に比例した電圧（例えば±９０Ｖの範囲）を出力信号として出力するものを用いる場合は、従速度設定部８として、制御信号である制御電圧に、変位検出器４から出力された出力信号である出力電圧に比例した電圧（例えば±１０Ｖの範囲）を加算することにより駆動電圧を補正するものを用いるものである。このようにすると、中間段差ロール３が所定位置よりも上昇している場合は、下流側制御部６により制御される基材１の搬送速度を、上流側制御部５により制御される基材１の搬送速度よりも、中間段差ロール３の変位量に比例する速度だけ遅い速度に制御して、中間段差ロール３を下降させて所定の配置位置まで復帰させ、また中間段差ロール３が所定位置よりも下降している場合は、下流側制御部６により制御される基材１の搬送速度を、上流側制御部５により制御される基材１の搬送速度よりも、中間段差ロール３の変位量に比例する速度だけ速い速度に制御して、中間段差ロール３を上昇させて所定の配置位置まで復帰させることができるものである。
【００４０】
そして、上記のような回路板製造用基材処理装置を用いて基材１に回路板製造用の処理を施すにあたっては、化学研磨による粗面化等が施され、表面に紫外線硬化性樹脂からなるドライフィルム等の感光性材料が設けられ、更にこの感光性材料にレジスト形成用の露光硬化処理が施された長尺な基材１を基材繰出リール１１に巻回し、基材繰出部９を駆動して基材１の基材繰出リール１１から配路に繰出すと共に、基材巻取部１０を駆動して配路から基材巻取リール４０に基材１を巻き取るものであり、またこのとき上流側制御部５と下流側制御部６による基材１の搬送速度をとを既述のように設定して、配路上で基材１を連続的に搬送しながら、各処理部にて基材１に順次各種の処理を施すものである。すなわち基材繰出部９から配路に繰出された基材１は、まず繰出側アキュームレータ１５を通過して現像部２ａに導入される。ここで基材１の感光性材料に現像液２５を噴射され感光性材料の未硬化部分が現像されて除去された後、洗浄水２６が噴射噴射されて洗浄される。次に、基材１は現像部２ａから導出される共にエッチング部２ｂに導入され、ここで感光性材料の硬化部分で覆われていない金属箔にエッチング液２８が噴射されて不要な金属箔がエッチングにより除去された後、洗浄水２６が噴射噴射されて洗浄される。次に、基材１はエッチング部２ｂから導出され、中間アキュームレータ３０を通過して剥離部２ｃに導入される。ここで、基材１の表面に残る感光性材料の硬化物に剥離液３７が噴射されて基材１から感光性材料が除去された後、洗浄水２６が噴射噴射されて洗浄される。次に、基材１は剥離部２ｃから導出されると共に乾燥部２ｄに導入される。ここで基材１は充分に乾燥されて水分が除去される。この後、基材１が乾燥部２ｄから導出され、巻取側アキュームレータ３８を通過して基材巻取部１０の基材巻取リール４０にロール状に巻取られる。この、基材巻取リール４０に巻き取られた基材１は、次工程に移載され、切断加工が施されることによって、複数枚の回路板が切り出される。
【００４１】
このようにして基材１の処理を連続的に行っていくうちに、基材繰出リール１１に巻回されている基材１がすべて配路に繰出されたら、基材繰出部９における基材１の搬送を停止し、基材１を接着台１４上にクランプ等で固定すると共にこの接着台１４上で切断する。このとき繰出側アキュームレータ１５の段差ロール１７が上動することにより、繰出側アキュームレータ１５よりも下流側の配路における基材１の搬送が確保される。この状態で、基材繰出部９の、基材１の繰出しがなさていない側の基材繰出リール１１から引き出されている基材１の先端部を、仮置台１３から接着台１４上に引き出し、接着台１４上で配路上の基材１の後端部と、新たな基材１の先端部とを接着する。この接着方法は特に制限されず、接着剤の使用、熱圧着、固着具の使用等により行うことができる。基材１同士の接着がなされたら、接着台１４上の基材１の固定を解除し、基材繰出部９からの基材１の繰出しを再開する。このとき繰出側アキュームレータ１５の段差ロール１７を徐々に下降させる。
【００４２】
また、この基材１同士の接着部分が分離台３９の上方まで搬送されたら、この接着部分を分離台３９上にクランプ等で固定すると共に、基材巻取部１０における基材１の巻取りを停止する。このとき巻取側アキュームレータ３８の段差ロール１７が下降することにより、巻取側アキュームレータ３８よりも上流側における基材１の搬送が確保され。この状態で、分離台３９上において基材１を接着部分で分離する。基材１同士を分離したら、分離台３９上における基材１の固定を解除し、上流側の基材１を巻取側アキュームレータ３８を上動させながら、基材１の巻取りがなされていない側の基材巻取リール４０に接続する。そして、基材巻取部１０における基材１の巻取りを再開する。
【００４３】
このようにして基材繰出リール１１及び基材巻取リール４０を交換しながら、基材１を連続的に処理することができるものである。
【００４４】
以上のように示される回路板製造用基材処理装置を用いて基材１に連続的に複数の処理を順次施すようにすると、多数枚の短尺の基材１に回路形成のための処理を行う場合のように各処理工程への投入間隔（タクトタイム）があかないようにすることができ、生産性を高くすることができるものであり、また、短尺の基材１を形成する際に生じる切断ロス等を少なくすることができ、大量の生産ロスが生じないようにすることができるものである。さらに、極薄の基材１を用いても曲がったり撓んだりすることが無くて搬送する際など破損しにくくなり、歩留まりを向上させることができるものである。
【００４５】
また基材１の配路を長く構成することにより、基材１と搬送ロール２９との間の滑りや、搬送ロール２９の回転速度の部分的な誤差等によって、基材１の搬送速度にむらが生じるような場合であっても、この搬送速度のむらを中間段差ロール３の上下方向の変位によって吸収すると共に、変位した中間段差ロール３を所定の配置位置に復帰させるように下流側制御部６に伝達される制御信号を補正することにより、基材１に過大な張力が発生したり基材１が弛んだりすることを防ぎ、基材１を円滑に搬送すると共に、配路上における基材１の配置位置のずれを防止することができるものである。
【００４６】
更に、配路に繰出される基材１は、基材繰出部９によって一定の制動力がかけられれた状態で繰出されるため、基材１の繰出し時に基材１に過度の張力がかかったり、基材１が配路に過剰に繰出されて配路上の基材１に弛みが生じることを防ぐことができ、一方、配路から巻取られる基材１は、基材巻取部１０によって一定の張力がかけられた状態で巻取られるため、基材１の巻取り時に基材１に過度の張力がかかったり、配路から送られてくる基材１を巻取りきれずに基材１に弛みが生じることを防ぐことができるものであり、従って、基材１に一定の張力をかけながら基材１を配路に円滑に繰出すと共に基材１を配路から円滑に巻取ることができるものであり、配路上の基材１の位置ずれや弛みの発生を防止することができるものである。しかも繰出側アキュームレータ１５及び巻取側アキュームレータ３８の段差ロール１７、並びに中間アキュームレータ３０の中間段差ロール３は、その上流側及び下流側の基材１に一定の張力をかけているので、段差ロール１７や中間段差ロール３によって基材１の配路が湾曲されていても、基材１に弛みが発生することを防ぐことができるものである。
【００４７】
そしてこのようにして配路上の基材１の配置位置の位置精度が一定に保たれるため、基材巻取リール４０における基材１の巻取り時に、基材１の側端部がずれることがなく、基材巻取リール４０に基材１を側端部が揃った状態で巻き取ることができるものである。ここで、基材１の繰出時に基材繰出部９にて基材１にかける制動力、段差ロール１７及び中間段差ロール３にて基材１の上流側にかける張力並びに基材巻取部１０にて支軸１２に所定のトルクをかけることによる基材１にかける張力は、基材１に板厚に比例する最適な張力がかかるように調整することが好ましい。この基材１にかける最適な張力は、図１１に示す通りであり、板厚が０．１ｍｍのときは１６２Ｎ/ｍ、板厚が０．２ｍｍのときは２４０Ｎ/ｍとなる。
【００４８】
【発明の効果】
上記のように、本発明の請求項１に係る回路板製造用基材処理装置は、長尺の基材がその長手方向に搬送される配路と、配路に沿って直列に設けられた、配路上の基材に各種の処理を施す二以上の基材処理部と、二つの基材処理部間の配路に設けられた、上下昇降自在な中間段差ロールと、中間段差ロールの所定位置からの上下の変位に基づいて出力信号を出力する変位検出器と、中間段差ロールの上流側における基材の搬送速度を制御する上流側制御部と、中間段差ロールの下流側における基材の搬送速度を制御する下流側制御部と、上流側制御部及び下流側制御部に制御信号を送ることにより上流側制御部及び下流側制御部における速度制御を設定する主速度設定部と、変位検出器から出力された出力信号に基づいて主速度設定部からの制御信号を補正して下流側制御部に送る従速度設定部とを具備するため、このような回路板製造用基材処理装置を用いて基材に連続的に複数の処理を順次施すようにすると、多数枚の短尺の基材に回路形成のための処理を行う場合のように各処理工程への投入間隔があかないようにすることができ、生産性を高くすることができるものであり、また、短尺の基材を形成する際に生じる切断ロス等を少なくすることができ、大量の生産ロスが生じないようにすることができるものである。また、極薄の基材を用いても曲がったり撓んだりすることが無くて搬送する際など破損しにくくなり、歩留まりを向上させることができるものである。更に、基材の配路を長く構成することにより、搬送速度の部分的な誤差等が累積して、基材の搬送速度にむらが生じるような場合であっても、この搬送速度のむらを中間段差ロールの上下方向の変位によって吸収すると共に、変位検出器から出力された出力信号に基づいて、従速度設定部にて主速度設定部からの制御信号を、下流側制御部により制御される基材の搬送速度を上流側制御部により制御される基材の搬送速度よりも速くし、又は遅くすることによって変位した中間段差ロールを所定の配置位置に復帰させるように補正して下流側制御部に伝達することができ、基材に過大な張力が発生したり基材が弛んだりすることを防ぎ、基材を円滑に搬送すると共に、配路上における基材の配置位置のずれを防止することができるものである。
【００４９】
また請求項２の発明は、請求項１の構成に加えて、配路における基材の搬送に応じてロール状に巻回された基材を搬送方向とは反対向きの一定の制動力をかけながら配路に繰り出す基材繰出部を具備するため、基材の繰出し時に基材に過度の張力がかかったり、基材が配路に過剰に繰出されて配路上の基材に弛みが生じることを防ぐことができ、基材に一定の張力をかけながら配路に円滑に繰出すことができるものである。
【００５０】
また請求項３の発明は、請求項１又は２の構成に加えて、配路における基材の搬送に応じて配路上の基材を搬送方向へ一定の張力をかけながらロール状に巻取る基材巻取部を具備するため、基材の巻取り時に基材に過度の張力がかかったり、配路から送られてくる基材を巻取りきれずに基材に弛みが生じることを防ぐことができるものであり、基材に一定の張力をかけながら配路から円滑に巻取ることができるものである。
【図面の簡単な説明】
【図１】本発明の実施の形態の一例を示す全体の概略図である。
【図２】同上の実施の形態における搬送速度の制御機構を示すフロー図である。
【図３】同上の実施の形態における基材繰出部での制動力の制御機構を示す概念図である。
【図４】同上の実施の形態における基材巻取部でのトルクの制御機構を示す概念図である。
【図５】同上の実施の形態における繰出側アキュームレータにおける段差ロールの構成を示す一部の斜視図である。
【図６】同上の実施の形態における中間段差ロールの構成を示す一部の斜視図である。
【図７】同上の実施の形態における巻取側アキュームレータにおける段差ロールの構成を示す一部の斜視図である。
【図８】変位検知器における変位角と出力電圧の関係の一例を示すグラフである。
【図９】基材の板厚と基材にかける最適な張力との関係を示すグラフである。
【符号の説明】
１  基材
２  処理部
３  中間段差ロール
４  変位検出器
５  上流側制御部
６  下流側制御部
７  主速度制御部
８  従速度制御部
９  基材繰出部
１０  基材巻取部
【図１】
0003697973.tif 000002
【図２】
0003697973.tif 000003
【図３】
0003697973.tif 000004
【図４】
0003697973.tif 000005
【図５】
0003697973.tif 000006
【図６】
0003697973.tif 000007
【図７】
0003697973.tif 000008
【図８】
0003697973.tif 000009
【図９】
0003697973.tif 000010